(57)【要約】【課題】  冷凍庫内に複数台のコンプレッサーを備え、これらのコンプレッサーごとに制御機をそれぞれ連結することで、１台の制御機が故障しても他の制御機を使用して複数台のコンプレッサーを制御することができ、常に超低温を保って安全に細胞等を保管できる冷凍庫の冷却装置を提供することを目的とする。【解決手段】  冷凍庫１０内に２個のプラグを有する２台の制御機１１、２１を構成し、前記各制御機１１、２１ごとにそれぞれ別個のコンプレッサー１５、２５を連結し、前記コンプレッサー１５、２５には、それぞれ別個のエバポレーター１６、２６を連結してなり、通常の運転状態では、２台のコンプレッサー１５、２５を２台の制御機１１、２１で別々に制御し、一方の制御機が使用できない場合には、当該制御機で制御しているコンプレッサーを他方の制御機で制御して、常に２台のコンプレッサーを使用可能とする冷凍庫の冷却装置。【選択図】図１
2012149807.tif 000002
【特許請求の範囲】
【請求項１】
冷凍庫内に、複数台のコンプレッサーを備え、これらコンプレッサー１台ごとにそれぞれ１台ずつのエバポレーターと制御機を連結し、１台のコンプレッサーを１台の制御機で別々に制御すると共に、一台の制御機が使用できない場合には、当該制御機で制御しているコンプレッサーを他の制御機で制御して、常に全部のコンプレッサーを使用可能とする冷凍庫の冷却装置。
【請求項２】
冷凍庫内に、２個のプラグを有する制御機を２台構成し、前記各制御機ごとにそれぞれ別個のコンプレッサーを連結し、前記コンプレッサーには、それぞれ別個のエバポレーターを連結してなり、
通常の運転状態では、２台のコンプレッサーを２台の制御機で別々に制御し、一方の制御機が使用できない場合には、当該制御機で制御しているコンプレッサーを他方の制御機で制御して、常に２台のコンプレッサーを使用可能とする冷凍庫の冷却装置。
【発明の詳細な説明】
【技術分野】
【０００１】
本発明は、細胞等を保管する冷凍庫の冷却装置に関するもので、複数台のコンプレッサーと制御機を備えていて、一台の制御機が故障しても別の制御機で冷却装置内部の温度を一定に維持する冷凍庫の冷却装置に関するものである。
【背景技術】
【０００２】
従来の冷凍システムは、例えば特許文献１に提案されているものがある。この冷凍制御システムは、コンプレッサー、コンデンサー、エバポレーター及びエバポレーターからの戻り冷媒とコンデンサーからエバポレーターに向かう高圧冷媒との間で熱交換を行う、非共沸冷媒を用いた単段式冷凍機に関するものであり、エバポレーターの膨張弁の開度により冷媒ガスの圧力と流量を調整可能とし、庫内温度が高い場合でも庫内温度が低下した場合でも、常に定常運転状態とすることができる冷凍システムである。
【０００３】
前記の冷凍システムでは、コンプレッサーや制御機器が各々１台しか備えていないため、それらの機器が故障した場合には装置全体が使用できなくなるという問題が生じた。
【０００４】
特に細胞等の試料を冷凍保管する場合では、冷凍機内部の温度は常に安定した超低温が要求されるため、前記のような従来の冷凍システムでは対応できなかった。
【先行技術文献】
【特許文献】
【０００５】
【特許文献１】特開２００７−７１４６８号公報
【０００６】
一般に細胞等の冷凍保管用の冷凍庫は、細胞等が高温になると使用ができなくなるため内部の温度をマイナス８０℃程度の超低温を維持しなくてはならない。さらに、超低温の冷却装置は耐久性が弱く故障が起こりやすいため、１台で冷凍庫内を超低温にできる冷却装置を２台設置し、一方が故障した場合でも他方の冷却装置で、冷凍庫内部の温度を一定温度以下に維持する冷却装置が提案されていた。
【０００７】
前記従来の冷却装置を図４に基づいて説明する。
冷凍庫５０内部に、１台の制御機５１を構成し、この制御機５１には冷凍庫５０内の温度を感知するサーモスタット５８が連結されている。
【０００８】
前記制御機５１の上部に、２台のコンプレッサー５４、５６を配置し、制御機５１とそれぞれコード５２、５３で連結することで、この２台のコンプレッサー５４、５６を１台の制御機５１で制御する。
前記コンプレッサー５４、５６には、それぞれ冷凍庫５０の内壁に沿って、内部に冷媒を気化させる２台のエバポレーター５５、５７を連結している。
【０００９】
前記コンプレッサー５４、５６は、１台でマイナス７０℃以下を維持できる能力があり、通常は２台のコンプレッサー５４、５６を同時に作動させて冷凍庫内温度をマイナス８０℃に保っている。
【００１０】
冷却運転中に、１台のコンプレッサー５４が故障した場合には、冷凍庫５０内部の温度が上昇するため、その温度変化をサーモスタット５８が感知しその情報を制御機５１に伝える。制御機５１はコンプレッサー５４の運転を停止し、他方のコンプレッサー５６のみで、冷凍庫５０内の温度をマイナス７０℃以下に維持するのである。
【００１１】
このようにして、従来の冷却装置によれば、一方のコンプレッサーが故障しても、他方のコンプレッサー１台で冷凍庫内の温度を超冷凍に保って細胞等の破壊を免れることができるのである。
【発明の概要】
【発明が解決しようとする課題】
【００１２】
しかしながら、前記従来の冷却装置によれば、制御機自体が故障した場合や交換時には、コンプレッサーの制御ができなくなり、装置全体が作動しなくなるという問題点があった。
【００１３】
本発明は上記問題点を解決するもので、冷凍庫内に２台のコンプレッサーを備え、これらのコンプレッサーごとに２台の制御機をそれぞれ連結することで、１台の制御機が故障しても他方の制御機を使用して２台のコンプレッサーを制御することができ、常に超低温を保って安全に細胞等を保管できる冷凍庫の冷却装置を提供することを目的とする。
【課題を解決するための手段】
【００１４】
本発明の要旨とするところは、冷凍庫内に、複数台のコンプレッサーを備え、これらコンプレッサー１台ごとにそれぞれ１台ずつのエバポレーターと制御機を連結し、１台のコンプレッサーを１台の制御機で別々に制御すると共に、一台の制御機が使用できない場合には、当該制御機で制御しているコンプレッサーを他の制御機で制御して、常に全部のコンプレッサーを使用可能とする冷凍庫の冷却装置である。
【００１５】
また、本発明の要旨とするところは、冷凍庫内に、２個のプラグを有する制御機を２台構成し、前記各制御機ごとにそれぞれ別個のコンプレッサーを連結し、前記コンプレッサーには、それぞれ別個のエバポレーターを連結してなり、通常の運転状態では、２台のコンプレッサーを２台の制御機で別々に制御し、一方の制御機が使用できない場合には、当該制御機で制御しているコンプレッサーを他方の制御機で制御して、常に２台のコンプレッサーを使用可能とする冷凍庫の冷却装置である。
【発明の効果】
【００１６】
請求項１の発明は、冷凍庫内に、複数台のコンプレッサーを備え、これら複数台のコンプレッサー１台ごとに１台の制御機で別々に制御するため、１台のコンプレッサーあるいは制御機が故障等で使用できなくなっても、他の制御機あるいはコンプレッサーに影響を与えない。
また使用できなくなった制御機で制御しているコンプレッサーを他の制御機で制御することにより、常にすべてのコンプレッサーを使用でき、安定した冷却装置の運転ができ冷凍庫内の温度を一定に保つことができる。
【００１７】
請求項２記載の発明は、冷凍庫内に２台の制御機と２台のコンプレッサーを構成しそれぞれ独立して連結したから、１台の制御機が使用できない場合には、当該制御機で制御しているコンプレッサーを、他方の制御機で制御することにより、常に２台のコンプレッサーを使用でき、安定した冷却装置の運転ができ冷凍庫内の温度を一定に保つことができる。
【図面の簡単な説明】
【００１８】
【図１】本発明の冷却装置の概念図
【図２】本発明の冷却装置の概念図
【図３】本発明の冷却装置の他例の概念図
【図４】従来の冷却装置の概念図
【発明を実施するための形態】
【００１９】
以下図面に基づきその詳細を説明する。
図１及び図２は、本発明の実施形態１を表わす概念図である。
本実施形態の冷却装置は、冷凍庫１０の内部に２台の制御機１１、２１が配置されている。
制御機１１は２個のプラグ１２、１３を備えていて、冷凍庫５０内の温度を感知するサーモスタット１７が連結されている。
この制御機１１には、コンプレッサー１５がコード１４によって連結されていて、このコンプレッサー１５にはエバポレーター１６が連結されている。
【００２０】
制御機２１は２個のプラグ２２、２３を備えていて、冷凍庫５０内の温度を感知するサーモスタット２７が連結されている。
この制御機２１には、コンプレッサー２５がコード２４によって連結されていて、このコンプレッサー２５にはエバポレーター２６が連結されている。
【００２１】
次に実施形態１の冷却装置の作用を説明する。
図１に示すように、通常の冷却運転ではそれぞれのコンプレッサー１５、２５をそれぞれの制御機１１、２１で制御して運転を行う。
コンプレッサー１５、２５で圧縮された冷媒は、冷凍庫１０内部の壁に沿って配置されたエバポレーター１６、２６に送られて気化して、冷凍庫１０内を冷却する。
本実施形態では、コンプレッサー１５、２５を２台備えているため、迅速に冷凍庫１０内を所定の温度であるマイナス８０℃にすることができ、かつその温度を確実に保つことができる。
【００２２】
一方、冷却装置の運転中に、例えば一方の制御機２１が故障して使用できなくなった場合には、図２に示すように当該制御機２１に連結してあるコンプレッサー２５のコード２４を、故障した制御機２１のプラグ２２から他方の制御機１１のプラグ１３に付け替えて、制御機１１でコンプレッサー２５も制御するのである。
これは、一方の制御機１１が故障した場合も同様であり、またいずれか一方の制御機を点検する場合等も同様の措置がとれる。
【００２３】
前記実施形態１によれば次の効果がある。
１台の制御機が故障した場合に、他方の制御機を使用することで２台のコンプレッサーを同時に使用することができるため、常に安定した冷却運転をすることができ、冷凍庫内で所望の超低温を保つことができる。
【００２４】
図３に、本実施形態の他例を示す。この他例は、前記の実施形態１に示した縦型の冷却装置を横型としたものであり、それ以外の構成は実施形態１と同様であり、同一部分は同一の番号を付して説明を省略する。作用効果も前記の実施形態１と同様であるが、この他例の冷却装置では、エバポレーターが低い位置に配置されているため、コンプレッサーにかかる負荷が減少して、故障が少ない等のメリットがある。
【符号の説明】
【００２５】
１０  冷凍庫
１１  制御機
１２  プラグ
１３  プラグ
１４  コード
１５  コンプレッサー
１６  エバポレーター
１７  サーモスタット
２１  制御機
２２  プラグ
２３  プラグ
２４  コード
２５  コンプレッサー
２６  エバポレーター
２７  サーモスタット
【図１】
2012149807.tif 000003
【図２】
2012149807.tif 000004
【図３】
2012149807.tif 000005
【図４】
2012149807.tif 000006
【手続補正書】
【提出日】平成23年11月10日(2011.11.10)
【手続補正１】
【補正対象書類名】特許請求の範囲
【補正対象項目名】全文
【補正方法】変更
【補正の内容】
【特許請求の範囲】
【請求項１】
冷凍庫内に、２個のプラグを有する制御機を２台構成し、前記各制御機ごとにそれぞれ別個のコンプレッサーを連結し、前記コンプレッサーには、それぞれ別個のエバポレーターを連結してなり、通常の運転状態では、２台のコンプレッサーを２台の制御機で別々に制御し、一方の制御機が使用できない場合には、前記一方の制御機に連結してあるコンプレッサーのコードを、前記一方の制御機のプラグから他方の制御機のプラグに付け替えることにより、当該制御機で制御しているコンプレッサーを他方の制御機で制御して、常に２台のコンプレッサーを使用可能とする冷凍庫の冷却装置。
【手続補正２】
【補正対象書類名】明細書
【補正対象項目名】００１４
【補正方法】削除
【補正の内容】
【手続補正３】
【補正対象書類名】明細書
【補正対象項目名】００１５
【補正方法】変更
【補正の内容】
【００１５】
冷凍庫内に、２個のプラグを有する制御機を２台構成し、前記各制御機ごとにそれぞれ別個のコンプレッサーを連結し、前記コンプレッサーには、それぞれ別個のエバポレーターを連結してなり、通常の運転状態では、２台のコンプレッサーを２台の制御機で別々に制御し、一方の制御機が使用できない場合には、前記一方の制御機に連結してあるコンプレッサーのコードを、前記一方の制御機のプラグから他方の制御機のプラグに付け替えることにより、当該制御機で制御しているコンプレッサーを他方の制御機で制御して、常に２台のコンプレッサーを使用可能とする冷凍庫の冷却装置。
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】変更
【補正の内容】
【００１７】
請求項１記載の発明は、冷凍庫内に２台の制御機と２台のコンプレッサーを構成しそれぞれ独立して連結したから、１台の制御機が使用できない場合には、当該制御機で制御しているコンプレッサーを、他方の制御機で制御することにより、常に２台のコンプレッサーを使用でき、安定した冷却装置の運転ができ冷凍庫内の温度を一定に保つことができる。